(57)【特許請求の範囲】
【請求項１】
制御機器を内蔵するための略直方体のケースをＬ形鋼に固定する取付金具であって、
前記ケース背面における所定の１辺に沿って止着される第１の装柱金具と、
前記所定の１辺に対向する１辺に沿って止着される第２の装柱金具と、
前記第１の装柱金具と前記第２の装柱金具を掛渡すように当該装柱金具それぞれの上部で固定される第１の受止具と、
前記第１の装柱金具と前記第２の装柱金具を掛渡すように当該装柱金具それぞれの下部で固定される第２の受止具と、
前記Ｌ形鋼の折り目における山折りの角に対応する形状の切欠を有し、前記角と前記切欠が嵌合した状態で、前記第１の受止具および前記第２の受止具とともに前記Ｌ形鋼を間に挟んで当該Ｌ形鋼を締め付ける締付具と
を備え、
前記第１および第２の装柱金具は、前記上部に２つの孔を、前記下部に長円形状の孔をそれぞれ有し、
前記第１および第２の受止具は、頭部に孔を有する取付用ボルトとともに、前記第１および第２の装柱金具の孔、当該受止具の所定箇所に設けられた孔、および、前記取付用ボルトの孔それぞれに貫通したボルトと所定のナットにより前記装柱金具に軸着され、
前記締付具は、前記取付用ボルトが貫通する貫通孔を有し、当該貫通孔に前記取付用ボルトが貫通した状態で所定のナットを螺合することで前記第１および第２の受止具とともに前記Ｌ形鋼を締め付ける
ことを特徴とする取付金具。
【請求項２】
前記取付ボルトは、片側または両側に弾性体を挟んで前記装柱金具に軸着されることを特徴とする請求項１に記載の取付金具。
【発明の詳細な説明】
【０００１】
【発明の属する技術分野】
本発明は送電線路事故点標定装置に使用される電源装置等の制御機器を送電鉄塔に使用されているＬ形鋼材で出来た柱に固定支持させるための取付金具構造に関するものである。
【０００２】
【従来の技術】
送電線路事故点標定装置のような機器は送電鉄塔が完成し、電力通電後に必要な送電鉄塔の電線支持部より下側の傾斜して組立てられている柱部に後付けにより設置されることが一般的である。
【０００３】
送電鉄塔のようなＬ形鋼材を組合せた構造物の柱、梁に前記のような制御機器を取付ける方法としては、
施設位置のＬ形鋼に制御機器取付孔配置に合わせて現地で孔の穿設作業を行い、前記孔に貫通させたネジにて制御機器とＬ形鋼を止着する方法、
或いは施設位置のＬ形鋼部分に板等の部品を止着し、一方が機器の外周に固定され、他方が着脱自在に係合する機器取付金具を介して支持する方法、
等が一般的に用いられている。
【０００４】
【発明が解決しようとする課題】
固定作業時に制御機器が落下しないように保持するための作業者が必要であり、制御機器の取付場所が高所であるため、作業者への負担が多いという問題がある。
【０００５】
制御機器の中には例えば電源装置のように、装置に内蔵しているバッテリーの液漏れを防止するために装置を地面に対して水平に取り付けることが必要なものがあるが、前記方法では柱に沿わせて固定されるため、制御機器を水平に取付けることが出来ないという問題がある。
【０００６】
本発明は前記課題を解消するためになされたもので、簡素な構造ながら傾斜した柱にも制御機器を地面に対して水平に取り付けることが容易に行える取付金具を提供することを目的とする。
【０００７】
【課題を解決するための手段】
上記問題点を解決するために請求項１の発明は、制御機器を内蔵するための略直方体のケースをＬ形鋼に固定する取付金具であって、前記ケース背面における所定の１辺に沿って止着される第１の装柱金具と、前記所定の１辺に対向する１辺に沿って止着される第２の装柱金具と、前記第１の装柱金具と前記第２の装柱金具を掛渡すように当該装柱金具それぞれの上部で固定される第１の受止具と、前記第１の装柱金具と前記第２の装柱金具を掛渡すように当該装柱金具それぞれの下部で固定される第２の受止具と、前記Ｌ形鋼の折り目における山折りの角に対応する形状の切欠を有し、前記角と前記切欠が嵌合した状態で、前記第１の受止具および前記第２の受止具とともに前記Ｌ形鋼を間に挟んで当該Ｌ形鋼を締め付ける締付具とを備え、前記第１および第２の装柱金具は、前記上部に２つの孔を、前記下部に長円形状の孔をそれぞれ有し、前記第１および第２の受止具は、頭部に孔を有する取付用ボルトとともに、前記第１および第２の装柱金具の孔、当該受止具の所定箇所に設けられた孔、および、前記取付用ボルトの孔それぞれに貫通したボルトと所定のナットにより前記装柱金具に軸着され、前記締付具は、前記取付用ボルトが貫通する貫通孔を有し、当該貫通孔に前記取付用ボルトが貫通した状態で所定のナットを螺合することで前記第１および第２の受止具とともに前記Ｌ形鋼を締め付けることを特徴とする取付金具である。
【０００８】
請求項２の発明は、前記取付ボルトは、片側または両側に弾性体を挟んで前記装柱金具に軸着されることを特徴とする取付金具である。
【０００９】
【発明の実施の形態】
以下、本発明の実施例を図に基づいて説明する。
図１、図２、図３は本発明の実施例に係る取付金具取付状態の正面図、上面図、底面図である。
【００１０】
送電線路事故点標定装置用の電源装置箱１の背面には２つの装柱金具２が対向する向きに止着されており、該装柱金具２には図４に示す孔２ａ，２ｂ，長円状孔２ｃが穿設されている。
なお、制御機器としては、図１の実施例に限らず、センサ箱や送電線路事故点標定装置以外の制御箱等とすることもできる。
【００１１】
該装柱金具２の孔部２ａには、上部受止具３、取付用ボルト７を夫々貫通させたネジ２０にて上部受止具３と取付用ボルト７がＬ形鋼と水平方向に可動するようにナット２１を用いてネジ着して該孔部２ａに止着されている。
該装柱金具２の長円状孔部２ｃにも、下部受止具９、取付用ボルト７を夫々貫通させたネジ２０にて下部受止具９と取付用ボルト７がＬ形鋼と水平方向に可動するようにナット２１を用いてネジ着して該長円状孔部２ｃに止着されている。
【００１２】
本実施例では、ナット２１を２個用いることによりナット２１の緩み防止を行っているが、ナット２１の緩み防止方法はこれに限らず、公知の緩み防止構造を用いることもできる。
また、装柱金具２と上部受止具３、取付用ボルト７の止着手段はこれに限らず、軸等を使用して軸着する手段等、公知の手段を用いることもできる。
【００１３】
Ｌ形鋼への取り付け手順について説明する。
該取付用ボルト７に螺合されているナット６と締付具５を該取付用ボルト７から外した状態で、本体ケースの背面部の該上部受止具３と該下部受止具９にＬ形鋼４を当接させる。
【００１４】
Ｌ形鋼４に当接させた状態で締付具５を２本の取付用ボルト７に掛渡して挿通し、Ｌ形鋼４を挟んだ状態で該上部受止具３と該下部受止具９に対向させ、締付具５の押さえ部側をＬ形鋼４に当接させ、ナット６を該取付用ボルト７に螺合させて締付ける。
この時、締付具に設けたＬ形鋼押さえ部がＬ形鋼に面的に密着し、ナット６仮締め状態での機器の落下を防ぐことができる。
上部受止具３と締付具５、下部受止具９と締付具５でＬ形鋼４を挟み込んでナット６にて取付用ボルト７に緊締することにより、取付金具１１がＬ形鋼４と一体となり、電源装置箱１をＬ形鋼４に固定支持させることができる。
【００１５】
傾斜している柱に対しては、前記装柱金具２の孔部２ａに止着している上部受止具３と取付用ボルト７を傾斜している柱角度に合せて穿孔されている該装柱金具２の孔部２ｂに移設し、ネジ２０とナット２１にて上部受止具３と取付用ボルト７をＬ形鋼と水平方向に可動するようにネジ着して該孔部２ｂに止着する。
上部受止具３と取付用ボルト７の取外し又は取付けはナット２１を緩めることにより容易に行える。
【００１６】
傾斜しているＬ形鋼への取り付け手順について説明する。
該取付用ボルト７に螺合されているナット６と締付具５を該取付用ボルト７から外す。
この状態で、本体ケースの背面部の該上部受止具３と該下部受止具９にＬ形鋼４を当接させ、締付具５を２本の取付用ボルト７間に掛渡して挿通し、Ｌ形鋼４を挟んだ状態で該上部受止具３、該下部受止具９と対向させ、締付具５の押さえ部側をＬ形鋼４に当接させてナット６を該取付用ボルト７に螺合されて締付ける。
【００１７】
この時、該装柱金具２の孔部２ｃの長円形状孔内でネジ２０の位置を上下に動かすことにより取付角度の調整ができ、電源装置箱１を地面に対して水平に保った位置でＬ形鋼に固定支持させることができる。
また、受止具、取付用ボルトがＬ形鋼と水平方向に可動することにより、傾斜した柱に対しても受止具と締付具がＬ形鋼に垂直に当たるため、Ｌ形鋼を受止具と締付具とで確実に締付ることができる。
傾斜した柱に取付けた場合における本発明の実施例の正面図を図６に示す。
【００１８】
請求項２の実施例である取付用ボルトと受止具の間、取付用ボルトと装柱金具の間に弾性体の実施例として皿バネ３０を配設した拡大図を図５に示す。
弾性体としては上記のような板バネを用いる他、コイルバネ、ゴム体等でもよい。
【００１９】
皿バネ３０のバネ力により、取付作業時に取付用ボルトが自重あるいは作業時の振動、衝撃等で自然に動かないようにできるため、締付具５の掛渡、緊締が一人の作業で行うことが可能となり、高所での取付作業における作業者への負担を軽減できると共に作業能率を大幅に向上させることができる。
【００２０】
【発明の効果】
以上のように、本発明により以下の効果がある。
垂直の柱、傾斜している柱のどちらに対しても制御機器を容易に而も確実に取付けることができる。
傾斜している柱に電源装置のように地面に水平に取付けることが必要な制御機器を取付ける場合においても、装柱金具に設けた長円形状孔により取付角度の調整ができ、容易に制御機器を地面に対して水平に取付けることができる。
傾斜した柱に対しても受止具と締付具がＬ形鋼に垂直に当たるため、Ｌ形鋼を受止具と締付具とで確実に締付ることができる。
【００２１】
締付具のＬ形鋼押さえ部により締付具とＬ形鋼の面的接触部が大きくなり、それにより、仮締めした状態で機器の落下を防ぐことができ、取付け作業時に制御機器を保持している作業者が不要となり、高所での取付作業における作業者への負担を大幅に軽減できる。
【００２２】
また、締付具の押さえ部によりＬ形鋼が横ずれしないため、Ｌ形鋼が横ずれすることによる取付用ボルトの緩みが発生しない。
そのため、風圧等による衝撃を受ける場所であっても取付用ボルトの緩みが発生する事が無く、長期的に安定した緊締状態を維持することができる。
【００２３】
任意寸法規格のＬ形鋼に対しても、前記と同様に容易に而も確実に制御機器を固定することができる。
【００２４】
請求項２の発明により、取付用ボルトが衝撃振動等により動かず安定した姿勢を保持するため、締付具の取付、ネジ締め作業を一人の作業者で行うことができ、高所での取付作業における作業能率を大幅に向上させることができる。
【図面の簡単な説明】
【図１】本発明の実施例の正面図である。
【図２】本発明の実施例の上面図である。
【図３】本発明の実施例の底面図である。
【図４】本発明の装柱金具２の正面図である。
【図５】請求項２の実施例の拡大図である。
【図６】送電鉄塔の傾斜した柱に取付けた本発明の実施例の正面図である。
【符号の説明】
１  電源装置箱
２  装柱金具
３  上部受止具
４  Ｌ形鋼
５  締付具
６  ナット
７  取付用ボルト
９  下部受止具
１１取付金具
３０皿バネ
【図１】
0004732635.tif 000002
【図２】
0004732635.tif 000003
【図３】
0004732635.tif 000004
【図４】
0004732635.tif 000005
【図５】
0004732635.tif 000006
【図６】
0004732635.tif 000007